(57)【要約】【課題】送信信号のアーチファクト間隔を減らすこと。【解決手段】送信信号を生成する方法は、シフト信号を生成するために、無線通信チャネルに含まれる狭い周波数レンジ（指定された狭周波数レンジ）内での送信に指定されたベースバンド信号を混合することを含む。シフト信号は、指定された狭周波数レンジをある周波数オフセットの分だけ無線通信チャネルの中心周波数の方にシフトさせることに基づくシフト周波数を有する。本方法は、変調信号の変調周波数を、周波数オフセットの分だけ指定された狭周波数レンジの方に中心周波数から遠ざかるようにシフトさせることを含む。更に、本方法は、シフト信号と変調信号とを混合し、指定された狭周波数レンジ内の送信周波数を有する送信信号を生成することを含む。【選択図】図１
2014239434.tif 000002
【特許請求の範囲】
【請求項１】
送信信号を生成する方法であって、
シフト信号を生成するために、無線通信チャネルに含まれる狭い周波数レンジ（指定された狭周波数レンジ）内での送信に指定されたベースバンド信号と、前記指定された狭周波数レンジをある周波数オフセットの分だけ前記無線通信チャネルの中心周波数の方にシフトさせることに基づくシフト周波数とを混合するステップと、
変調信号の変調周波数を、前記周波数オフセットの分だけ前記指定された狭周波数レンジの方に前記中心周波数から遠ざかるようにシフトさせるステップと、
前記シフト信号と前記変調信号とを混合し、前記指定された狭周波数レンジ内の送信周波数を有する送信信号を生成するステップと
を有する方法。
【請求項２】
アジャイル周波数ソースにより前記変調信号を生成するステップを有する請求項１に記載の方法。
【請求項３】
前記指定された狭周波数レンジに関連する周波数に基づいて、前記ベースバンド信号の混合を実行する、請求項１に記載の方法。
【請求項４】
前記ベースバンド信号と前記シフト周波数とを混合する際に、前記シフト信号を生成するために、前記ベースバンド信号と前記周波数オフセットとを含む複素乗算処理を実行する、請求項１に記載の方法。
【請求項５】
前記チャネルが含まれる周波数バンドに属する隣接する周波数バンド、及び前記チャネルに隣接するチャネルのうちの1つ以上に対して、前記送信信号に起因する干渉の許容量に基づいて、前記周波数オフセットを決定するステップを有する請求項１に記載の方法。
【請求項６】
ディジタルシングルサイドバンドミキサを利用して、前記指定された狭周波数レンジの信号をディジタル的に混合する請求項１に記載の方法。
【請求項７】
前記シフト信号と前記変調信号とを混合し、前記送信信号を生成するためにアナログミキシングを実行する請求項１に記載の方法。
【請求項８】
前記シフト信号と前記変調信号とを混合し、前記送信信号を生成するためにディジタルミキシングを実行する請求項１に記載の方法。
【請求項９】
送信信号を生成するシステムであって、
シフト信号を生成するために、無線通信チャネルに含まれる狭い周波数レンジ（指定された狭周波数レンジ）内での送信に指定されたベースバンド信号と、前記指定された狭周波数レンジをある周波数オフセットの分だけ前記無線通信チャネルの中心周波数の方にシフトさせることに基づくシフト周波数とを混合するように形成された第１のミキサと、
前記周波数オフセットの分だけ前記指定された狭周波数レンジの方に前記中心周波数から遠ざかるように変調周波数をシフトさせた変調信号を生成するように形成された周波数ソースと、
前記シフト信号と前記変調信号とを混合し、前記指定された狭周波数レンジ内の送信周波数を有する送信信号を生成するように形成された第２のミキサと
を有するシステム。
【請求項１０】
前記無線通信チャネルがロングタームエボリューション（ＬＴＥ）方式の無線通信チャネルに関連する、請求項９に記載のシステム。
【請求項１１】
前記第１のミキサは、前記指定された狭周波数レンジに関する周波数に基づいて前記ベースバンド信号についての混合を実行するように形成されている、請求項９に記載のシステム。
【請求項１２】
前記第１のミキサは、前記シフト信号を生成するために、前記ベースバンド信号と前記周波数オフセットとを含む複素乗算処理を実行することにより、前記ベースバンド信号をディジタル的に混合するように形成されている、請求項９に記載のシステム。
【請求項１３】
前記チャネルが含まれる周波数バンドに属する隣接する周波数バンド、及び前記チャネルに隣接するチャネルのうちの1つ以上に対して、前記送信信号に起因する干渉の許容量に基づいて、前記周波数オフセットを決定するように形成された処理装置を有する請求項９に記載のシステム。
【請求項１４】
前記指定された狭周波数レンジが、ロングタームエボリューション（ＬＴＥ）方式における無線通信リソースブロックに基づいて指定される、請求項９に記載のシステム。
【請求項１５】
前記第２のミキサがアナログミキサを含む、請求項９に記載のシステム。
【請求項１６】
前記第２のミキサがディジタルミキサを含む、請求項９に記載のシステム。
【請求項１７】
送信信号を生成するシステムであって、
シフト信号を生成するために、無線通信チャネルに含まれる狭い周波数レンジ（指定された狭周波数レンジ）内での送信に指定されたベースバンド信号と、前記指定された狭周波数レンジをある周波数オフセットの分だけ前記無線通信チャネルの中心周波数の方にシフトさせることに基づくシフト周波数とを混合する手段と、
変調信号の変調周波数を、前記周波数オフセットの分だけ前記指定された狭周波数レンジの方に前記中心周波数から遠ざかるようにシフトさせる手段と、
前記シフト信号と前記変調信号とを混合し、前記指定された狭周波数レンジ内の送信周波数を有する送信信号を生成する手段と
を有するシステム。
【請求項１８】
アジャイル周波数ソースにより前記変調信号を生成する手段を有する請求項１７に記載のシステム。
【請求項１９】
前記指定された狭周波数レンジに関連する周波数に基づいて、前記ベースバンド信号の混合を実行する手段を有する請求項１７に記載のシステム。
【請求項２０】
前記ベースバンド信号を混合する前記手段が、前記シフト信号を生成するために、前記ベースバンド信号と前記周波数オフセットとを含む複素乗算処理を実行する手段を有する、請求項１７に記載のシステム。
【請求項２１】
前記チャネルが含まれる周波数バンドに属する隣接する周波数バンド、及び前記チャネルに隣接するチャネルのうちの1つ以上に対して、前記送信信号に起因する干渉の許容量に基づいて、前記周波数オフセットを決定する手段を有する請求項１７に記載のシステム。
【請求項２２】
ディジタルシングルサイドバンドミキサを利用して、前記指定された狭周波数レンジの信号をディジタル的に混合する手段を有する請求項１７に記載のシステム。
【請求項２３】
前記シフト信号と前記変調信号とを混合し、前記送信信号を生成するためにアナログミキシングを実行する手段を有する請求項１７に記載のシステム。
【請求項２４】
請求項１、２、３、４又は５に記載の方法を装置に実行させる命令を有する記憶媒体。
【発明の詳細な説明】
【技術分野】
【０００１】
本願において説明される実施の形態は、無線通信信号として送信される送信信号のアーチファクト間隔を減らすこと等に関連する。
【背景技術】
【０００２】
無線通信システムは、遠隔通信システム、テレビジョンシステム、ラジオシステム、その他のメディアシステム、データ通信ネットワーク及びその他のシステム等の様々な環境において、無線送信機及び無線受信機を用いて、離れた地点同士の間で情報を運ぶために使用されている。場合によっては、無線送信機及び無線受信機は無線トランシーバと呼ばれる単独の装置に統合されてもよい。多くの無線通信システムが利用されていることに起因して、無線通信に使用される周波数スペクトルの一部分(一般に、「バンド」と言及される)は、干渉を減らす利用の仕方となるように決定されている。しかしながら、多くの場合、無線通信信号は、適切に決定された周波数バンドで送信される場合でさえ、他の無線通信信号と干渉するかもしれない方法で送信される。
【０００３】
例えば、無線通信信号は、或る設定された周波数バンドで送信されるかもしれないが、設定された周波数バンドの外側の他の周波数バンドに漏洩するアーチファクトを招くおそれがある。従ってこれらのアーチファクトは他の周波数バンドに割り当てられた他の無線通信信号と干渉するおそれがある。
【発明の概要】
【発明が解決しようとする課題】
【０００４】
一観点による形態の課題は、送信信号のアーチファクト間隔を減らす装置及び方法等を提供することである。
【課題を解決するための手段】
【０００５】
一観点による方法は、
送信信号を生成する方法であって、
シフト信号を生成するために、無線通信チャネルに含まれる狭い周波数レンジ（指定された狭周波数レンジ）内での送信に指定されたベースバンド信号と、前記指定された狭周波数レンジをある周波数オフセットの分だけ前記無線通信チャネルの中心周波数の方にシフトさせることに基づくシフト周波数とを混合するステップと、
変調信号の変調周波数を、前記周波数オフセットの分だけ前記指定された狭周波数レンジの方に前記中心周波数から遠ざかるようにシフトさせるステップと、
前記シフト信号と前記変調信号とを混合し、前記指定された狭周波数レンジ内の送信周波数を有する送信信号を生成するステップと
を有する方法である。
【図面の簡単な説明】
【０００６】
【図１】無線通信システムの一例を示す図。
【図２Ａ】送信信号を生成するように形成される具体例による送受信要素のうちの選択された要素に関するブロック図。
【図２Ｂ】無線通信信号及び無線通信信号に関連するいくつかのアーチファクトの一例を示す図。
【図２Ｃ】無線通信信号及び無線通信信号に関連する他の例を示す図。
【図２Ｄ】図2Aの要素のうちのディジタルミキサ及びアナログミキサにより行われるシフト動作の一例を示す図。
【図３】送信信号を生成する方法の一例を示すフローチャート。
【発明を実施するための形態】
【０００７】
本願において開示される実施の形態は、上記の任意の欠点を解決する実施形態には限定されず、上述した環境の中でしか動作しない実施形態にも限定されない。むしろ上記の背景技術は本願による実施形態が使用されてもよい例示的な技術分野を紹介するために説明されているに過ぎない。
【０００８】
＜実施の形態の概要＞
実施の形態によれば、送信信号を生成する方法は、シフト信号を生成するために、無線通信チャネルに含まれる狭い周波数レンジ（指定された狭周波数レンジ）内での送信に指定されたベースバンド信号を混合することを含む。周波数レンジは周波数範囲と言及されてもよい。シフト信号は、指定された狭周波数レンジをある周波数オフセットの分だけ無線通信チャネルの中心周波数の方にシフトさせることに基づくシフト周波数を有する。本方法は、変調信号の変調周波数を、周波数オフセットの分だけ指定された狭周波数レンジの方に中心周波数から遠ざかるようにシフトさせることを含む。更に、本方法は、シフト信号と変調信号とを混合し、指定された狭周波数レンジ内の送信周波数を有する送信信号を生成することを含む。
【０００９】
実施の形態に関する課題及び利点は、少なくとも特許請求の範囲に明示された要素、特徴及びそれらの組み合わせにより実現され達成される。
【００１０】
上記の一般的な説明及び以下の詳細な説明の双方は例示に関連し、特許請求の範囲を限定するものではないことが理解されるべきである。
【００１１】
＜実施の形態の詳細な説明＞
以下、添付図面を利用して具体的かつ詳細に実施形態が説明及び開示される。
【００１２】
本発明の実施の形態によれば、送信信号が無線通信信号として送信される場合に、送信信号及び関連するアーチファクトの全体的なスペクトルフットプリント(spectral  footprint)が、無線通信信号を生成する従来の方法と比較して減るように、送信信号が生成される。送信信号及びその関連するアーチファクトのスペクトルフットプリントが減ると、他の無線信号により使用される他の周波数範囲(例えば、無線通信チャネル又はバンド)内にアーチファクトが漏洩してしまう量も減る。従って、本開示により説明されている方法で送信信号を生成すると、他の周波数バンドで送信される他の無線通信信号が受ける干渉を減らす。
【００１３】
「指定周波数範囲(assigned  frequency  range)」という用語は、無線通信用に設定される電磁スペクトラム中の1つ以上の周波数(群)を示す。指定周波数範囲は、指定された周波数範囲、割り当てられた周波数範囲等と言及されてもよい。周波数範囲は周波数レンジ等と言及されてもよい。更に、「指定周波数範囲」は特定のタイプの無線通信用に割り当てられた周波数範囲である1つ以上のバンド又はチャネルを含んでもよい又はそれらに含まれてもよい。更に、各々のチャネルは、無線通信に使用される1つ以上のサブレンジを含んでもよい。例えば、無線通信信号は、ある狭い周波数レンジ内での送信に割り当てられた信号であってもよく、その狭い周波数レンジは、より広い周波数バンド内にあるチャネルに属していてもよい。
【００１４】
一実施形態によれば、無線送信機(「送信機」と言及される)は、ベースバンド信号に対してミキシングを実行し、シフト周波数を有するシフト信号(シフトされた周波数を有するシフト信号)を生成するように形成された第1のミキサを含んでいてもよい。「周波数がシフトされる」とは、周波数が高周波側又は低周波側に変更されることに関連する。一実施形態において、ベースバンド信号は、無線通信信号を送信するために使用される無線通信チャネルの狭い周波数レンジ(狭周波数レンジ)内での送信用に指定されてもよい。更に、シフト周波数は、無線通信チャネルの中心周波数の方に或る周波数オフセットの分だけシフトされた周波数であってもよい。
【００１５】
送信機は変調信号を生成するように形成された発振回路も含み、変調信号は送信信号を生成するためにシフト信号と混合される。一実施形態において、発振回路は、変調信号の変調周波数を、指定された狭周波数レンジの方に向けて、中心周波数が周波数オフセットの分だけ離れるようにシフトするように形成されてもよい。送信機は、シフト信号を変調信号と混合し、送信信号を生成するように形成され、一実施形態において送信信号は無線通信信号として送信される。
【００１６】
周波数シフトを行うことに起因して、送信信号は、指定された狭周波数レンジ内に実質的に所属する送信周波数を有することになる。更に、周波数シフトを行うことに起因して、変調周波数は、周波数シフトを行わなかった場合よりも、指定された狭周波数レンジに近くなり、これは、送信信号及びその関連するアーチファクトのスペクトルフットプリントを減らせる等の観点から好ましい。上述したように、送信信号及びその関連するアーチファクトのスペクトルフットプリントが減少すると、他の周波数範囲で送信される他の無線通信号が被る干渉も減少する。
【００１７】
一実施形態において、送信機は、無線通信システムを介した情報通信を改善するように、無線通信システムの1つ以上の要素に関連して実現されてもよい。以下、本開示による実施の形態が添付図面を参照しながら説明される。
【００１８】
図1は、本願で説明される少なくとも1つの実施形態により形成された無線通信システム100(以下、「システム100」のように言及される)の一例を示す。システム100は1つ以上のアクセスポイント104を介して1つ以上の端末106に無線通信サービスを提供するように形成される。図1では明示的には示されていないが、システム100は、任意の数の端末106に無線通信サービスを提供する任意の数のアクセスポイント104を含んでいてもよい。なお、本願における実質的に任意の複数及び/又は単数に関する用語の使用に関し、当業者は文脈及び/又は用途に応じて適切に複数から単数へ及び/又は単数から複数へ説明内容を適宜変換できるであろう。
【００１９】
システム100により提供される無線通信サービスは、音声サービス、データサービス、メッセージングサービス及び/又はそれらの適切な組み合わせ等を含んでもよい。システム100は、時間分割複信(TDD)ネットワーク、周波数分割複信(FDD)ネットワーク、周波数分割多重アクセス(FDMA)ネットワーク、直交FDMA(OFDMA)ネットワーク、符号分割多重アクセス(CDMA)ネットワーク、時間分割多重アクセス(TDMA)ネットワーク、直接シーケンス拡散スペクトル(DSSS)ネットワーク、周波数ホッピング拡散スペクトル(FHSS)ネットワーク、及び/又はその他の無線通信ネットワークを含んでいてもよい。一実施形態において、システム100は、第2世代(2G)無線通信ネットワーク、第3世代(3G)無線通信ネットワーク、第4世代(4G)無線通信ネットワーク、及び/又はWi-Fiネットワーク等として動作するように形成されてもよい。上記又は他の実施形態において、システム100はロングタームエボリューション(LTE)無線通信ネットワークとして動作するように形成されてもよい。
【００２０】
アクセスポイント104は、端末106に無線通信サービスを提供する適切な如何なる無線ネットワーク通信局であってもよい。アクセスポイント104は、例えば、基地局、遠隔無線ヘッド(RRH)、ノードB、エボルブドノードB(eNB)、又は適切な他の任意の通信局を含んでよいがこれらに限定されない。一実施形態において、モバイルスイッチングセンタ又は移動交換局(MSC)110は、アクセスポイント104に通信可能に結合され、アクセスポイント104に対する制御及び管理の機能を発揮する。
【００２１】
端末106は、無線通信サービスを受けるためにシステム100を利用する任意の装置であってよく、例えば、リモート通信局、遠隔通信局、移動局、アクセス端末、ユーザ装置(UE)、無線通信装置、セルラ電話機又はその他の装置であってもよい。例えば、端末106は、セルラ電話機、スマートフォン、パーソナルデータアシスタント(PDA)、ラップトップコンピュータ、パーソナルコンピュータ、タブレットコンピュータ、無線通信カード、又はシステム100の中で通信するように形成された他の任意の同様な装置等であってもよいが、これらに限定されない。
【００２２】
端末106は1つ以上の衛星108からの信号を受信できてもできなくてもよい。一実施形態において、衛星108は既知のグローバルポジショニングシステム(GPS)のような衛星測位システムに属していてもよい。更に、端末106は他のタイプの送信ソースからの信号を受信できてもよく、そのような送信ソースは、例えば、ブルートゥース送信機、ワイヤレスフィデリティ(Wi-Fi)送信機、ワイヤレスローカルエリアネットワーク(WLAN)送信機、IEEE802.11送信機及び適切な他の任意の送信機等である。
【００２３】
図1において、各々の端末106は複数の送信ソースから同時に信号を受信するように示されており、送信ソースはアクセスポイント104又は衛星108であってよい。一実施形態では、端末106が送信ソースであってもよい。一般に、端末106は、所与の任意の時点において、ゼロ個、1個、又は複数個の送信ソースから信号を受信する。なお、簡明化のため、図1では2つの端末106及び2つのアクセスポイント104しか示されていないが、システム100は任意の数の端末106及びアクセスポイント104を含んでよい。端末106、アクセスポイント104及び衛星108の各々は、送信及び/又は受信する要素の具体例である。
【００２４】
図2は、本願において説明される少なくとも1つの実施形態により送信信号を生成するように形成される具体例による送受信要素200のうちの選択された要素に関するブロック図を示す。図示の形態において、要素200は、送信経路201、ディジタル回路202、及び発振回路210を有する。一実施形態において、要素200は(詳細には説明されないが)受信経路を含んでいてもよい。従って、要素200の機能に依存して、要素200は送信機、受信機又はトランシーバと考えられてよい。一実施形態において、要素200はLTE標準規格に従って無線通信信号を生成するように形成されてもよい。
【００２５】
LTE標準規格では、無線通信信号は、無線通信信号の送信用に指定された周波数バンドで送信される。例えば、指定された周波数バンドは、サブバンドのようなチャネルを含んでもよく、無線通信信号の送信に割り当てられた相対的に狭い周波数レンジ(群)を含む。一実施形態において、無線通信信号が、割り当てられた狭い周波数レンジのうちの何れかにおける送信に指定されるように、無線通信信号は、指定された狭い周波数レンジのうちの何れか(又はLTE標準規格におけるリソースブロック)を含む無線チャネルに割り当てられてもよい。すなわち、無線通信信号は相対的に狭い周波数レンジに指定されてもよい。
【００２６】
一実施形態において、要素200は、信号と或る変調周波数を有する変調信号とを混合することにより、その信号を指定された狭い周波数レンジにアップコンバートするように形成されてもよい。変調周波数が指定された狭い周波数レンジに近いほど、無線通信信号及びその関連するアーチファクトの全体的なスペクトルフットプリントは、スペクトルの観点からはコンパクトになる(狭い範囲に収まる)。
【００２７】
図2Bは無線通信信号232及び無線通信信号に関連するいくつかのアーチファクト234-237の一例を示す。図示の例において、無線通信信号232は、周波数「f0」に中心がある狭い周波数レンジに指定されている(割り当てられている)。更に、図2Bにおいて、無線通信信号232は、「fm1」という変調周波数を有する変調信号230に基づいて生成される。図示の例において、周波数「f0」はスペクトル的に(周波数軸上で)「2Δf」の周波数差の分だけ周波数「fm1」から隔たっており、これにより234-237のようなアーチファクトのスペクトルフットプリントが生じる。
【００２８】
図2Cは、変調信号230が「fm1」ではなく「fm2」の変調周波数を有する場合における無線通信信号及びアーチファクト234-237の他の例を示し、「fm2」は周波数軸上で「f0」から「2Δf」ではなく「Δf」だけ離れている。図2B及び図2Cを比較すれば分かるように、無線通信信号232の指定された狭い周波数レンジと変調信号230の変調周波数との間の周波数差が減少すると、アーチファクト234-237のスペクトル間隔が減少し、これにより、無線通信信号232及びその関連するアーチファクト(例えば、アーチファクト234-237)による全体的なスペクトルフットプリントが減少する。
【００２９】
従って、以下において詳細に説明するように、無線通信信号232に割り当てられた狭い周波数バンドと、無線通信信号として送信するために使用される信号をアップコンバートするのに使用される変調信号の変調周波数との間の周波数差が減少するように、要素200は形成される。従って、無線通信信号及びそれに関連するアーチファクトの全体的なスペクトルフットプリントは、他の方法で生成された無線通信信号よりもコンパクトになり(信号とアーチファクトとが占める周波数範囲が狭くなり)、無線通信信号に起因して他の無線通信信号が被る干渉量を減らすことができる。
【００３０】
図2Aの要素200はディジタル回路202を含んでもよく、ディジタル回路202は、送信経路201により送信のための信号及び情報を処理するように形成された任意のシステム、デバイス又は装置を含んでもよい。一実施形態において、ディジタル回路202は要素200の受信経路により受信した信号及び情報を処理するように形成されていてもよい。ディジタル回路202は、1つ以上のマイクロプロセッサ、マイクロコントローラ、ディジタル信号プロセッサ(DSP)、特定用途向け集積回路(ASIC)、フィールドプログラマブルゲートアレイ(FPGA)、他のディジタル回路又はアナログ回路等を含み、プログラム命令を解釈及び/又は実行し、及び/又はデータ及び/又は信号を処理するように形成されていてもよい。一実施形態において、プログラム命令及び/又はプロセスデータはメモリに保存されていてもよい。
【００３１】
メモリは、ある時間期間の間、プログラム命令及び/又はデータを保持するように形成された適切な任意のコンピュータ可読媒体(コンピュータにより読み取ることが可能な媒体)を含んでもよい。例えば、そのようなコンピュータ可読媒体は一時的でない有形のコンピュータ可読記憶媒体を含んでもよく、例えば、ランダムアクセスメモリ(RAM)、リードオンリメモリ(ROM)、電気的に消去可能でプログラム可能なリードオンリメモリ(EEPROM)、コンパクトディスクリードオンリメモリ(CD-ROM)又は他の光ディスクストレージ、磁気ディスクストレージ又は他の磁気ストレージ装置、フラッシュメモリ装置(例えば、ソリッドステートメモリ装置)、又は他の任意の一時的でない有形の記憶媒体(コンピュータが実行できる命令又はデータ構造の形式で所望のプログラムコードを担う又は記憶するために使用され、かつプロセッサによりアクセスされる記憶媒体)等を含んでよいが、これらに限定されない。上記の例示の組み合わせもコンピュータ可読記憶媒体の範囲内に含まれる。コンピュータ実行可能命令(コンピュータで実行することが可能な命令)は、例えば、汎用コンピュータ、専用コンピュータ又は特定用途向け処理装置(例えば、プロセッサ)に、所定の機能又は一群の機能を実行させる命令及びデータを含んでもよい。
【００３２】
一実施形態において、ディジタル回路202はディジタルミキサ211も含む。一実施形態において、ディジタルミキサ211はベースバンド信号を受信するように形成され、そのベースバンド信号から、指定された狭い周波数バンド内の周波数を有する無線通信信号が導出される。ディジタルミキサ211は、指定された狭い周波数レンジの信号を混合し、シフト周波数を有するシフト信号を生成するように形成される。一実施形態において、ディジタルミキサ211は、ミキシングを実行するように形成されたディジタルシングルサイドバンド(SSB)を含んでいてもよい。
【００３３】
一実施形態において、シフト周波数は、(1)無線通信信号に割り当てられたチャネルについての指定された狭い周波数レンジ、(2)指定された狭い周波数レンジが含まれているチャネルの中心周波数、及び(3)周波数オフセットに基づいていてもよい。例えば、一実施形態において、シフト周波数は、指定された狭い周波数レンジから、チャネルの中心周波数の方に、周波数オフセットの分だけシフトすることに基づいていてもよい。以下、周波数オフセットの決定の仕方を詳細に説明する。一実施形態において、ディジタルミキサ211は次式に従ってミキシングを実行してもよい：
y(n)=x(n)*exp(j2πΔfTsn)
上記の数式において「x(n)」はディジタルミキサ211により受信したベースバンド信号を表し、「Ts」はx(n)のサンプリング期間を表し(指定された狭い周波数レンジに基づいていてもよい)、「Δf」は周波数オフセットを表し、「n」は特定のサンプルを表し、「y(n)」はディジタルミキサ211の出力(シフト信号となる)を表し、「j」は虚数単位を表し、j2=-1である。
【００３４】
一実施形態において、送信経路201はディジタルアナログ変換部(DAC)204を含んでいてもよい。DAC204は、ディジタルミキサ211からシフト信号(ディジタル信号)を受信し、受信したシフト信号をアナログ信号に変換するように形成されていてもよい。この段階でアナログ信号となっているシフト信号は、送信経路201の1つ以上の他の要素(アナログミキサ208を含む)に与えられてもよい。アナログミキサ208は、発振回路210から提供された変調信号とシフト信号とを混合し、指定された狭い周波数レンジ内の送信周波数を有する送信信号を生成し、この点については後述する。
【００３５】
一実施形態において、ディジタルミキサ211により実行される上記のミキシングは、代替的に、(アナログミキサ208以外の)他のアナログミキサにより実行されてもよい。従って、そのような実施形態では、DAC204がベースバンド信号を受信し、以後他のアナログミキサに送られる。そして他のアナログミキサはディジタルミキサ211に関して説明したのと同様な方法でシフト信号を生成するように形成されてもよい。
【００３６】
発振回路210は特定の周波数の波形(例えば、変調信号)を生成するように形成された適切な任意のデバイス、システム又は装置であってよく、特定の周波数の波形は、指定された狭い周波数レンジの中で使用可能な無線周波数を有する送信信号を生成するためにシフト信号と混合される。一実施形態において、発振回路210はアジャイル周波数ソース(agile  frequency  source)を有し、アジャイル周波数ソースは、指定された狭い周波数レンジに関連するチャネルの中心周波数と周波数オフセットとに基づいて、変調信号の変調周波数を調整する。例えば、一実施形態において、発振回路210は、変調周波数を、指定された狭い周波数レンジの方に、中心周波数から遠ざかるように、周波数オフセットの分だけシフトするように形成されてもよい。一実施形態において、発振回路210は、ディジタル回路202から受信した制御信号に基づいて変調周波数をシフトさせてもよい。
【００３７】
一実施形態において、アナログミキサ208は次式に従ってミキシングを実行してもよい：
y(t)=real[x(t)*exp(j2π(fc-Δf)t)]
上記の数式において、「x(t)」はシフト信号を表し、「fc」は指定された狭い周波数レンジが含まれているチャネルの中心周波数を表し、「Δf」は周波数オフセットを表し、「t」は特定の時間を表し、「real」は「x(t)*exp(j2π(fc-Δf)t)」の実数部分を表し、「y(t)」はアナログミキサ208の出力(送信信号となる)を表し、「j」は虚数単位を表す。
【００３８】
変調信号を、指定された狭い周波数レンジの方に向けて、周波数オフセットの分だけシフトし、変調信号をシフト信号と共に混合し、送信信号を生成することは、送信信号の送信周波数を、周波数オフセット量の分だけ、指定された狭い周波数レンジの方に(シフト周波数に対して)シフトさせることを引き起こす。従って、送信信号の送信周波数は、実質的に、指定された狭い周波数レンジ内にある。更に、変調周波数がチャネルの中心に基づいていた場合よりも、周波数オフセット量の分だけ、変調周波数は、指定された狭い周波数レンジの側に近付くように変更される。従って、要素200から送信される無線通信信号及びその関連するアーチファクトの全体的なスペクトルフットプリント(送信信号に基づいているもの)は少なくなり、その無線通信信号に起因して他の無線通信信号が被る干渉が減少する。
【００３９】
一実施形態において、指定された狭い周波数レンジが含まれているチャネル及び周波数に、他のチャネル又は周波数バンドが周波数軸上でどの程度接近しているかに基づいて、周波数オフセットが決定されてもよい。例えば、チャネル及び狭い周波数レンジの周波数バンドが、無線通信に使用されてもよい他の周波数バンドに周波数軸上で比較的近かった場合(例えば、他の周波数バンドが、対象の周波数バンドに隣接する又は次の周波数バンドである場合)、周波数オフセットは、対象の指定された周波数バンドが他の周波数バンドから遠く離れている場合よりも、指定された狭い周波数レンジ及びシフト周波数が互いに接近するように決定されてもよい。
【００４０】
従って、オフセット量は、無線通信信号のアーチファクトが他の周波数レンジに漏洩する可能性に基づいて決定されてもよく、その可能性は、無線通信信号が他の無線通信信号に及ぼす可能性のある干渉量に関連する。更に、一実施形態では、チャネル及び/又はチャネルに関連する周波数バンドに周波数軸上で相対的に近い他の周波数バンド又はチャネル内での潜在的な干渉に依存するチャネルの中心からの所定の大きさのオフセットと共に、周波数オフセットは、以前に決定されたオフセット数に基づいていてもよい。一実施形態において、周波数オフセットは、チャネルが包含されている隣接する周波数バンド及び/又はチャネルの隣接チャネルに対して無線通信信号が及ぼす許容干渉量(最大許容量)に基づいて決定されてもよく、隣接チャネル等は無線通信信号と同じ周波数バンドに含まれていてもいなくてもよい。
【００４１】
一実施形態において、ディジタル回路202は、周波数オフセットを決定するように形成された何らかの種類の処理装置を含み、ディジタルミキサ202(又は他のアナログミキサ)及び発振回路210が使用される。代替的又は追加的に、一実施形態において、ディジタル回路202のコンピュータ可読媒体は、そこに保存される所定の周波数オフセットを含んでいてもよい。
【００４２】
図2Dは、本願で説明される少なくとも1つの実施形態によるディジタルミキサ211及びアナログミキサ208により行われるシフト動作の一例を示す。プロット250aは、シフト又はミキシングがなされる前の信号254及び変調信号252を示す。プロット250aにおける信号254は、周波数「f0」に中心がある指定された狭い周波数レンジにおいて無線通信信号として送信されるように割り当てられている。更に、プロット250aにおける変調信号252の位置は、変調信号252の変調周波数を示す。プロット250aに関する例において、変調周波数は、指定された狭い周波数レンジを含むチャネルの中心周波数(「fc」)に実質的に等しい。なお、信号254は、上述したようにディジタルミキサ211により受信される実際のベースバンド信号を必ずしも表現していなくてもよく、要素200により送信される無線通信信号の所望の周波数を単に示していてもよい。
【００４３】
プロット250bは、上記の方法によりプロット250aの信号254に対してディジタルミキサ211により実行されるミキシングに基づいて周波数「f0」からシフトされた周波数を含むシフト信号256を示す。図示の例においてシフト信号256は周波数「f1」に中心を有し、周波数「f1」は「Δf」の周波数オフセットの分だけ周波数「fc」に向かって周波数「f0」から遠ざかるようにシフトされている。プロット250bにおいて、変調信号252の変調周波数は周波数「fc」のままである。シフト信号256は、ディジタルミキサ211により生成される実際のシフト信号を必ずしも表現していなくてもよく、ディジタルミキサ211により周波数オフセットを適用することにより信号254の周波数に生じる影響を示す。
【００４４】
プロット250cは、変調信号252の変調周波数が周波数「f2」である場合に、シフト信号256と変調信号252とをアナログミキサ208で混合することにより生成される送信信号258を示す。変調周波数を約「Δf」の量だけ周波数「fc」から遠ざかるように周波数「f0」の方に周波数シフトしたことにより、変調周波数は周波数「f2」になっている。更に、プロット250cに示されているように、上述した変調信号252の変調周波数をシフトさせることは、送信周波数が、指定された狭い周波数レンジの中心「f0」に意図されるとおりに来るように、送信信号258の送信周波数をシフトさせる。更に、変調信号252の変調周波数は、それが周波数「fc」であった場合よりも、指定された狭い周波数レンジに近くになっており、送信信号258及びその関連するアーチファクトの全体的なスペクトルフットプリントが低減される。
【００４５】
一実施形態において、図2Aの送信経路201は、送信信号を送信するために送信信号を増幅するように形成された可変利得増幅器(VGA)214も含む。上記及び他の実施形態において、送信経路201は、VGAにより増幅された送信信号を受信するように形成された電力増幅器(PA)を含む。PA220も送信信号を増幅するように形成される。送信経路は、VGA214及びPA220により増幅された送信信号を受信するように形成されたバンドパスフィルタ216を追加的に含む。バンドパスフィルタ216は、送信信号の所望の周波数範囲に属する送信信号の信号成分を通過させ、帯域外のノイズ及び望まれない信号成分を除去するように形成される。増幅されフィルタリングされた送信信号はアンテナ218により受信され、アンテナ218は送信信号を無線通信信号として送信するように形成されている。
【００４６】
従って、無線通信信号及び関連するアーチファクトの全体的なスペクトルフットプリントが、無線通信信号を送信する他の方法と比較して減少するような方法で、要素200は無線通信信号を送信するように形成される。更に、無線通信信号及び関連するアーチファクトのスペクトルフットプリントの減少は、無線通信信号に起因する干渉を減らす。
【００４７】
本願の開示範囲から逸脱することなく、要素200に対して修正、追加、省略又は変形等がなされてもよい。例えば、一実施形態において、アナログミキサ208により実行されるミキシング及び変調は、アナログミキサ208により実行されずに、事前の又はDAC204におけるディジタルミキシング及び変調により実行され、要素200がアナログミキサ208を含まないようにしてもよい。更に、上述したように、一実施形態では、ディジタルミキサ211により実行されるミキシングは、その代わりにDAC204の後のアナログミキサにより実行されてもよい。更に、要素200は明示的には図示も説明もされていない任意の数の素子を含んでいてもよい。更に、明示的に図示又は説明された素子同士の間に追加的な素子が通信可能に結合されてもよい。例えば、要素200はアンテナ218により及び/又は別のアンテナにより受信される無線通信信号を処理するように形成された受信経路を含んでいてもよい。更に、一実施形態において、明示的に図示及び説明された要素200の素子の内の1つ以上が省略されてもよい。
【００４８】
図3は、本願において説明される少なくとも1つの実施形態により送信信号を生成する方法例300のフローチャートを示す。一実施形態において、本方法300は、図2Ａに関して説明された要素200及び関連する素子のような送信要素の1つ以上の素子により実現されてよい。個別的なブロックとして示されているが、所望の実施の形態に応じて、様々なブロックが追加的なブロックに分割されてもよいし、少ない数のブロックに統合されてもよいし、一部省略されてもよい。
【００４９】
本方法30はブロック302から始まり、指定された狭い周波数レンジ内での送信のために割り当てられたベースバンド信号が、シフト信号を生成するために混合される。狭い周波数レンジは無線通信チャネルに含まれ、シフト信号はシフト周波数を有し、シフト周波数は、周波数オフセットの分だけ無線通信チャネルの中心周波数の方にシフトすることに基づいている。一実施形態において、混合又はミキシングの処理は、ベースバンド信号と周波数オフセットとを含む複素乗算を実行することを含む。更に、一実施形態において、無線通信チャネルはLTE無線通信チャネルに関連し、狭い周波数レンジはLTE無線通信方式において送信の際に割り当てられる多数のリソースブロックに基づいて指定されてもよい。更に、一実施形態において、周波数オフセットは干渉許容量に基づいて決定されてもよく、その干渉は、(1)チャネルが含まれている周波数バンドのうちの隣接する周波数バンド、又は(2)無線通信信号と同じ周波数バンドに含まれていてもいなくてもよいチャネルのうちの隣接するチャネルが、送信信号に起因して被る干渉である。一実施形態において、許容干渉量は、最大許容干渉量に基づいていてもよい。一実施形態において、ブロック302におけるミキシングの処理は、上記のディジタルミキサ211のようなディジタルミキサにより実行されてもよい。他の実施形態において、ブロック302におけるミキシングの処理はアナログミキサにより実行されてもよい。
【００５０】
ブロック304において、変調信号の変調周波数はシフトされる。一実施形態において、変調周波数は、周波数オフセットの分だけ、指定された狭い周波数レンジの方に、中心周波数から遠ざかるようにシフトされる。ブロック306において、シフトされた信号(シフト信号)は、変調信号と混合され、狭い周波数レンジ内に送信周波数を有する送信信号を生成する。一実施形態において、ブロック306におけるミキシングの処理は、上述したようなアナログミキサ208等のようなアナログミキサにより実行されてもよい。別の実施形態では、ブロック306におけるミキシングの処理はディジタル的に実行されてもよい。
【００５１】
実施の形態によれば、方法300はアーチファクトのスペクトル間隔が短い送信信号を生成するように実行され、送信信号及びその関連するアーチファクトの全体的なスペクトルフットプリントが、送信信号を生成するために他の方法を使用した場合と比較して少なくなる。当業者は、本願で説明されている上記及び他のプロセス及び方法に関し、プロセス及び方法で実行される処理は異なる順序で実行されてもよい。例えば、一実施形態において、本方法300は変調信号を生成することに関する処理を含んでもよい。更に、本方法300は送信信号を無線通信信号として送信することに関する処理を含んでもよい。更に、説明されたステップ及び処理は単なる一例として示されているにすぎず、開示される実施の形態の本質から逸脱することなく、ステップ及び処理のうちのいくつかは、より少ない数のステップ及び処理に選択的に統合されてもよいし、追加的なステップ及び処理とともに拡張されてもよい。
【００５２】
本願で説明される実施の形態は、本願で詳細に説明されるように、様々なコンピュータハードウェア又はソフトウェアモジュールを含む専用又は汎用のコンピュータを利用することを含んでよい。
【００５３】
本願で説明される実施の形態は、コンピュータにより読み取ることが可能な記憶媒体を利用して実現されてもよく、記憶媒体にはコンピュータで読み取ることが可能な命令又はデータ構造が保存されている。そのようなコンピュータ可読の記憶媒体は汎用又は専用のコンピュータによりアクセスされる任意の利用可能な媒体であってよい。上述したように、限定ではなく例示として、そのようなコンピュータ可読の記憶媒体は有形のコンピュータ可読の記憶媒体を含み、例えば、RAM、ROM、EEPROM,CD-ROMその他の光ディスクストレージ、磁気ディスクストレージその他の磁気ストレージ装置、フラッシュメモリ(例えば、ソリッドステートメモリ装置)、又は他の任意の記憶媒体であってもよく、そのような記憶媒体は、コンピュータにより実行可能な命令又はデータ構造の形式で所望のプログラムコードを担う又は保存するために使用されてよく、専用又は汎用のコンピュータによりアクセスされてよい。上記の例示の組み合わせもコンピュータ可読の記憶媒体の範囲内に属する。
【００５４】
コンピュータにより実行可能な命令は、例えば、汎用コンピュータ、専用コンピュータ又は特定用途向け処理装置に、所定の機能又は機能群を実行させる命令及びデータを含んでもよい。本説明は構造的な特徴及び/又は方法的な処理に特有の言葉で説明されてきたが、添付の特許請求の範囲に記載された内容は、説明された具体的な特徴や処理に限定される必要はないことが、理解されるべきである。むしろ、説明された上記の具体的な特徴や処理は、本発明を実施する際の例示的な形態として開示されているに過ぎない。
【００５５】
本願において、「モジュール」又は「コンポーネント」又は「要素」又は「素子」等の用語は、モジュールやコンポーネント等の処理を実行するように形成された具体的なハードウェアであってもよいし、及び/又はコンピュータシステムの汎用ハードウェア(例えば、コンピュータ可読の記憶媒体、処理装置等)により実行及び/又は保存されるソフトウェアオブジェクト又はソフトウェアルーチンであってもよい。一実施形態において、本願で説明された様々なコンポーネント、モジュール、エンジン、サービス、要素、素子等は、コンピュータシステムで実行するオブジェクト又はプロセス(例えば、個別的なスレッド)として実現されてもよい。本願で説明されている何らかのシステム及び方法は(汎用ハードウェアに保存され及び/又は実行される)ソフトウェアで実現されるように一般的に説明されているが、特定のハードウェアの実施形態、特定のソフトウェア及びハードウェアの組み合わせの実施形態も可能であり、本願でも想定されている。本説明において、「コンピュータ装置」又は「コンピュータエンティティ」は、本願における上記の任意のコンピュータシステムであってもよいし、コンピュータシステムで動作する任意のモジュール又はモジュールの組み合わせであってもよい。
【００５６】
本願で示されている全ての具体例及び条件付きの説明は、教育的情報提供の観点から、本願の発明者等が従来技術に対して貢献した内容及び本開示内容を読者が理解することを促すようになされているに過ぎず、そのような具体的に説明された具体例や条件に限定することなく本発明を解釈しなければならない。本願により開示される実施形態が詳細に説明されてきたが、本開示の精神及び範囲から逸脱することなく、様々な変形例、置換例、代替例等を行うことが可能であることが、理解されるべきである。
【符号の説明】
【００５７】
100  システム
104  アクセスポイント
106  端末
108  衛星
【図１】
2014239434.tif 000003
【図２Ａ】
2014239434.tif 000004
【図２Ｂ】
2014239434.tif 000005
【図２Ｃ】
2014239434.tif 000006
【図２Ｄ】
2014239434.tif 000007
【図３】
2014239434.tif 000008